(57)【特許請求の範囲】
【請求項１】
複数の移動局へ同じデータを同時に伝送するために使用される下り共通チャネルに対する送信電力制御と、前記複数の移動局の各々に対して個別に割り当てられる下り個別チャネルに対する送信電力制御とを並行して行う送信電力制御方法であって、
下り共通チャネル用の第１ＴＰＣコマンドおよび下り個別チャネル用の第２ＴＰＣコマンドの双方を、上り個別チャネルを介して基地局へ送信し、
前記基地局が、
前記第２ＴＰＣコマンドに基づいて下り個別チャネルの送信電力を制御する一方、
前記複数の移動局から送信された複数の前記第１ＴＰＣコマンドの少なくとも１つが送信電力を上げることを指示するＴＰＣコマンドである場合は、下り共通チャネルの送信電力を上げ、前記複数の移動局から送信された複数の前記第１ＴＰＣコマンドのすべてが送信電力を下げることを指示するＴＰＣコマンドである場合は、下り共通チャネルの送信電力を下げる、
ことを特徴とする送信電力制御方法。
【請求項２】
複数の移動局へ同じデータを同時に伝送するために使用される下り共通チャネルに対する送信電力制御と、前記複数の移動局の各々に対して個別に割り当てられる下り個別チャネルに対する送信電力制御とを並行して行う送信電力制御方法であって、
前記複数の移動局の各々が、
下り個別チャネル用のＴＰＣコマンドを上り個別チャネルを介して基地局へ送信するとともに、下り共通チャネルに対するＡＣＫ信号またはＮＡＣＫ信号を、上り個別チャネルまたは上りランダムアクセスチャネルを介して前記基地局へ送信し、
前記基地局が、
下り個別チャネルの送信電力を前記ＴＰＣコマンドに基づいて制御する一方、
下り共通チャネルの送信電力を、送信電力制御後の複数の下り個別チャネルの送信電力のうち最大の送信電力にオフセットを加えた送信電力に制御し、前記ＡＣＫ信号を複数回連続して受信する場合は前記オフセットを減少させ、前記ＮＡＣＫ信号を複数回連続して受信する場合は前記オフセットを増加させる、
ことを特徴とする送信電力制御方法。
【請求項３】
複数の移動局へ同じデータを同時に伝送するために使用される下り共通チャネルに対する送信電力制御と、前記複数の移動局の各々に対して個別に割り当てられる下り個別チャネルに対する送信電力制御とを並行して行う基地局装置であって、
前記複数の移動局の各々から送信された下り共通チャネル用の第１ＴＰＣコマンドおよび下り個別チャネル用の第２ＴＰＣコマンドの双方を上り個別チャネルを介して受信する受信手段と、
前記第１ＴＰＣコマンドに基づいて下り共通チャネルの送信電力を制御する第１制御手段と、
前記第２ＴＰＣコマンドに基づいて下り個別チャネルの送信電力を制御する第２制御手段と、
を具備し、
前記第１制御手段は、前記複数の移動局から送信された複数の前記第１ＴＰＣコマンドの少なくとも１つが送信電力を上げることを指示するＴＰＣコマンドである場合は、下り共通チャネルの送信電力を上げ、前記複数の移動局から送信された複数の前記第１ＴＰＣコマンドのすべてが送信電力を下げることを指示するＴＰＣコマンドである場合は、下り共通チャネルの送信電力を下げる、
ことを特徴とする基地局装置。
【請求項４】
複数の移動局へ同じデータを同時に伝送するために使用される下り共通チャネルに対する送信電力制御と、前記複数の移動局の各々に対して個別に割り当てられる下り個別チャネルに対する送信電力制御とを並行して行う基地局装置であって、
下り個別チャネル用のＴＰＣコマンドを上り個別チャネルを介して受信するとともに、下り共通チャネルに対するＡＣＫ信号またはＮＡＣＫ信号を上り個別チャネルまたは上りランダムアクセスチャネルを介して受信する受信手段と、
下り個別チャネルの送信電力を前記ＴＰＣコマンドに基づいて制御する第１制御手段と、
下り共通チャネルの送信電力を、送信電力制御後の複数の下り個別チャネルのうち送信電力が最大の下り個別チャネルの送信電力にオフセットを加えた送信電力に制御する第２制御手段と、を具備し、
前記第２制御手段は、前記ＡＣＫ信号が複数回連続して受信される場合は前記オフセットを減少させ、前記ＮＡＣＫ信号が複数回連続して受信する場合は前記オフセットを増加させる、
ことを特徴とする基地局装置。
【発明の詳細な説明】
【０００１】
【発明の属する技術分野】
本発明は、送信電力制御方法および基地局装置に関する。
【０００２】
【従来の技術】
移動体通信の分野においては、最近、マルチメディア・ブロードキャスト／マルチキャスト・サービス（Ｍｕｌｔｉｍｅｄｉａ  Ｂｒｏａｄｃａｓｔ／Ｍｕｌｔｉｃａｓｔ  Ｓｅｒｖｉｃｅ：以下、ＭＢＭＳという）に関する技術的な検討が行われている（例えば、非特許文献１参照）。ＭＢＭＳで行われる通信は、１対１（Ｐｏｉｎｔ  ｔｏ  Ｐｏｉｎｔ：Ｐ−ｔｏ−Ｐ）の通信ではなく、１対多（Ｐｏｉｎｔ  ｔｏ  Ｍｕｉｔｉ：Ｐ−ｔｏ−Ｍ）の通信となる。すなわち、ＭＢＭＳでは、１つの基地局が複数の移動局に対して同時に同じデータ（例えば、音楽データやビデオ画像データ等）を送信する。
【０００３】
ＭＢＭＳには、ブロードキャストモード（Ｂｒｏａｄｃａｓｔ  Ｍｏｄｅ）とマルチキャストモード（Ｍｕｌｔｉｃａｓｔ  Ｍｏｄｅ）  とがある。ブロードキャストモードが現在のラジオ放送のように全移動局に対して情報送信するようなモードであるのに対し、マルチキャストモードはニュースグループ等そのサービスに加入している特定の移動局に対してのみ情報送信するようなモードである。
【０００４】
ＭＢＭＳを行うことの利点としては以下のことが挙げられる。すなわち、ストリーミング・サービス等で、基地局から送信される情報をそれぞれの移動局が１チャネルずつ使用して受信すると、その情報を受信したい移動局が増えた場合に、無線回線にかかる負荷が大きくなってしまう。しかし、ＭＢＭＳを使用すると、移動局が増えた場合でもそれらの移動局すべてが同じチャネルを使用して情報を受信するので、無線回線にかかる負荷を増大させることなく情報受信できる移動局を増加させることができる。現在、ＭＢＭＳを用いたサービスとしては、交通情報の配信、音楽配信、駅でのニュース配信、スポーツ中継の配信等が考えられており、８〜２５６ｋｂｐｓ程度の伝送レートで行うことが検討されている。
【０００５】
ＭＢＭＳにおいて複数の移動局に対して同時に同じデータを送信するためのチャネルとして、現在のＷ−ＣＤＭＡ移動通信方式で使用されているＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を用いることが検討されている。Ｓ−ＣＣＰＣＨは下り方向の共通チャネルで、現在のＷ−ＣＤＭＡ移動通信方式では、ページング信号および上位レイヤからのデータ送信のために使用されている。また、Ｓ−ＣＣＰＣＨでは、送信電力制御が行われておらず、セル全体をカバーできるような比較的大きな一定の送信電力でデータが送信されている（例えば、非特許文献２参照）。この一定の送信電力は、上位レイヤ（制御局）から基地局へ指示される。
【０００６】
【非特許文献１】
３ＧＰＰ  ＴＳ  ２２．１４６  Ｖ６．０．０（２００２−０６）：  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｍｕｌｔｉｍｅｄｉａ  Ｂｒｏａｄｃａｓｔ／Ｍｕｌｔｉｃａｓｔ  Ｓｅｒｖｉｃｅ；  Ｓｔａｇｅ  １（Ｒｅｌｅａｓｅ  ６）  ２００２年６月
【非特許文献２】
３ＧＰＰ  ＴＳ  ２５．２１１  Ｖ５．１．０（２００２−０６）：  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ  （ＦＤＤ）  （Ｒｅｌｅａｓｅ  ５）  ２００２年６月  ５．３．３．４  Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ  （Ｓ−ＣＣＰＣＨ）
【０００７】
【発明が解決しようとする課題】
ここで、図１７に示すように、ＭＢＭＳが行われるようになっても、基地局と移動局との間には、ＭＢＭＳ用のＳ−ＣＣＰＣＨの他に、従来どおり通常の音声通信や個別制御情報の伝送等を行うためのＤＰＣＨ（Ｄｅｄｉｃａｔｅｄ  Ｐｈｙｓｉｃａｌ  Ｃｈａｎｎｅｌ）も存在する。ＤＰＣＨは上り／下り双方向の個別チャネルで、Ｓ−ＣＣＰＣＨがセル内の全移動局で共通に使用されるチャネルであるのに対し、ＤＰＣＨは各移動局に対して個別に割り当てられるチャネルである。
【０００８】
上記のように、Ｓ−ＣＣＰＣＨの送信電力は、セル内に存在する移動局の位置にかかわらず、セル境界まで届くような大きな一定の送信電力である。このため、基地局近傍に位置する移動局では過剰な受信品質となってしまい無駄が生じる。また、他セルへの干渉が大きくなり、その結果、システム全体の加入者収容量（システム容量）の低下を招いてしまう。さらに、基地局では全チャネルを合わせた送信電力の上限（基地局最大送信電力）が定まっているため、図１７に示すように、Ｓ−ＣＣＰＣＨの送信電力が大きいと、ＤＰＣＨ等の他のチャネルに使用可能な送信電力が相対的に減少してしまい、音声通信等の通信品質が悪くなってしまう。
【０００９】
本発明はかかる点に鑑みてなされたものであり、ＭＢＭＳ用の共通チャネルの送信電力が過剰にならないよう適切に制御することができる送信電力制御方法および基地局装置を提供することを目的とする。
【００１０】
【課題を解決するための手段】
本発明者らは、Ｓ−ＣＣＰＣＨが下り方向しか存在しないのに対し、ＤＰＣＨが上り方向および下り方向の双方向存在する点に着目し、上りＤＰＣＨを使用してＳ−ＣＣＰＣＨ用のＴＰＣコマンドを基地局へ送信できることを見出し、本発明をするに至った。そこで本発明では、ＭＢＭＳにおいて、各移動局が、下り共通チャネル用のＴＰＣコマンドおよび下り個別チャネル用のＴＰＣコマンドの双方を、上り個別チャネルを介して基地局へ送信するようにした。これにより、ＭＢＭＳのデータ送信に使用される共通チャネルの送信電力を適切に制御することができる。
【００１１】
【発明の実施の形態】
以下、本発明の実施の形態について、図面を参照して詳細に説明する。以下の各実施の形態では、ＭＢＭＳを行う移動体通信システムを想定しており、複数の移動局へ同じデータを同時に伝送するために使用される下り共通チャネルとしてＳ−ＣＣＰＣＨを、複数の移動局の各々に対して個別に割り当てられる下り個別チャネルとしてＤＰＣＨを一例に挙げて説明する。
【００１２】
（実施の形態１）
図１は、本発明の実施の形態１に係る移動局の構成を示すブロック図である。この移動局は、ＭＢＭＳが行われる移動体通信システムにおいて使用されるものである。
【００１３】
図１に示す移動局は、アンテナ１０、受信ＲＦ部１５、Ｓ−ＣＣＰＣＨ受信部１００、ＤＰＣＨ受信部２００、ＤＰＣＨ送信部３００、送信ＲＦ部２０を有する。また、Ｓ−ＣＣＰＣＨ受信部１００は、逆拡散部１１０、復調部１２０、復号部１３０、ＳＩＲ測定部１４０、ＴＰＣコマンド作成部１５０を有する。ＤＰＣＨ受信部２００は、逆拡散部２１０、復調部２２０、復号部２３０、ＳＩＲ測定部２４０、ＴＰＣコマンド抽出部２５０、ＴＰＣコマンド作成部２６０を有する。ＤＰＣＨ送信部３００は、符号化部３１０、変調部３２０、拡散部３３０を有する。
【００１４】
受信ＲＦ部１５は、アンテナ１０を介して受信された信号に対してダウンコンバート、ＡＧＣ（Ａｕｔｏ  Ｇａｉｎ  Ｃｏｎｔｒｏｌ）、Ａ／Ｄ変換等を施す。その後、受信信号は、逆拡散部１１０および逆拡散部２１０に入力される。
【００１５】
Ｓ−ＣＣＰＣＨ受信部１００において、逆拡散部１１０は、受信信号に対して、下りＳ−ＣＣＰＣＨに割り当てられている拡散コードで逆拡散処理を施す。復調部１２０は、逆拡散後のＱＰＳＫ等の信号を復調する。復調された信号は、復号部１３０およびＳＩＲ測定部１４０に入力される。復号部１３０は、復調されたＳ−ＣＣＰＣＨの受信信号に対して誤り訂正復号やＣＲＣ（Ｃｙｃｌｉｃ  Ｒｅｄｕｎｄａｎｃｙ  Ｃｈｅｃｋ）を行ってＳ−ＣＣＰＣＨの受信信号を復号する。これによりＳ−ＣＣＰＣＨの受信データ（ビット列）が得られる。ＳＩＲ測定部１４０は、Ｓ−ＣＣＰＣＨの受信ＳＩＲを測定する。測定されたＳＩＲは、ＴＰＣコマンド作成部１５０に入力される。ＴＰＣコマンド作成部１５０は、Ｓ−ＣＣＰＣＨの受信ＳＩＲとＳ−ＣＣＰＣＨ用の目標ＳＩＲとを比較し、その比較結果に基づいて下りＳ−ＣＣＰＣＨ用のＴＰＣコマンドを作成する。測定されたＳＩＲが目標ＳＩＲ以上であれば送信電力を下げること（Ｄｏｗｎ）を指示するＴＰＣコマンドが作成され、測定されたＳＩＲが目標ＳＩＲ未満であれば送信電力を上げること（Ｕｐ）を指示するＴＰＣコマンドが作成される。作成された下りＳ−ＣＣＰＣＨ用のＴＰＣコマンドは、符号化部３１０に入力される。
【００１６】
ＤＰＣＨ受信部２００において、逆拡散部２１０は、受信信号に対して、自局の下りＤＰＣＨに割り当てられている拡散コードで逆拡散処理を施す。復調部２２０は、逆拡散後のＱＰＳＫ等の信号を復調する。復調された信号は、復号部２３０およびＳＩＲ測定部２４０に入力される。復号部２３０は、復調されたＤＰＣＨの受信信号に対して誤り訂正復号やＣＲＣを行ってＤＰＣＨの受信信号を復号する。これによりＤＰＣＨの受信データ（ビット列）が得られる。ＤＰＣＨの受信データは、ＴＰＣコマンド抽出部２５０に入力される。ＴＰＣコマンド抽出部２５０は、ＤＰＣＨの受信データのタイムスロットに配置されている上りＤＰＣＨ用のＴＰＣコマンドを抽出する。抽出された上りＤＰＣＨ用のＴＰＣコマンドは、送信ＲＦ部２０に入力される。ＳＩＲ測定部２４０は、ＤＰＣＨの受信ＳＩＲを測定する。測定されたＳＩＲは、ＴＰＣコマンド作成部２６０に入力される。ＴＰＣコマンド作成部２６０は、ＤＰＣＨの受信ＳＩＲとＤＰＣＨ用の目標ＳＩＲとを比較し、その比較結果に基づいて下りＤＰＣＨ用のＴＰＣコマンドを作成する。測定されたＳＩＲが目標ＳＩＲ以上であればＤｏｗｎを指示するＴＰＣコマンドが作成され、測定されたＳＩＲが目標ＳＩＲ未満であればＵｐを指示するＴＰＣコマンドが作成される。作成された下りＤＰＣＨ用のＴＰＣコマンドは、符号化部３１０に入力される。
【００１７】
ＤＰＣＨ送信部３００において、符号化部３１０は、ＤＰＣＨの送信データ（ビット列）に対して畳み込み符号化、ＣＲＣ符号化を行ってＤＰＣＨの送信データを符号化し、複数のタイムスロットから構成される送信フレームを構成する。このとき、符号化部３１０は、タイムスロットに下りＤＰＣＨ用のＴＰＣコマンドおよび下りＳ−ＣＣＰＣＨ用のＴＰＣコマンドを配置する。配置方法については後述する。変調部３２０は、送信データに対してＱＰＳＫ等の変調処理を施す。拡散部３３０は、変調後の送信信号に対して、自局の上りＤＰＣＨに割り当てられている拡散コードで拡散処理を施す。拡散後の送信信号は送信ＲＦ部２０に入力される。
【００１８】
送信ＲＦ部２０は、拡散部３３０での拡散後の送信信号に対してＤ／Ａ変換、送信電力制御、アップコンバート等の処理を施した後、送信信号をアンテナ１０から上りＤＰＣＨを介して基地局へ送信する。この際、送信ＲＦ部２０は、上りＤＰＣＨの送信電力を、ＴＰＣコマンド抽出部２５０から入力された上りＤＰＣＨ用のＴＰＣコマンドに従って制御する。
【００１９】
次に、基地局の構成について説明する。図２は、本発明の実施の形態１に係る基地局の構成を示すブロック図である。この基地局は、ＭＢＭＳが行われる移動体通信システムにおいて使用されるものである。
【００２０】
図２に示す基地局は、アンテナ２５、受信ＲＦ部３０、ＤＰＣＨ受信部４００−１〜４００−Ｋ、ＴＰＣコマンド選択部３５、Ｓ−ＣＣＰＣＨ送信部５００、ＤＰＣＨ送信部６００−１〜６００−Ｋ、送信ＲＦ部４０を有する。また、ＤＰＣＨ受信部４００−１〜４００−Ｋは、基地局が通信可能な最大の移動局数Ｋだけ備えられ、それぞれが、逆拡散部４１０、復調部４２０、復号部４３０、ＳＩＲ測定部４４０、ＴＰＣコマンド抽出部４５０、ＴＰＣコマンド作成部４６０を有する。ＤＰＣＨ受信部４００−１は移動局１用であり、ＤＰＣＨ受信部４００−Ｋは移動局Ｋ用である。Ｓ−ＣＣＰＣＨ送信部５００は、符号化部５１０、変調部５２０、拡散部５３０、電力制御部５４０を有する。また、ＤＰＣＨ送信部６００−１〜６００−Ｋは、基地局が通信可能な最大の移動局数Ｋだけ備えられ、それぞれが、符号化部６１０、変調部６２０、拡散部６３０、電力制御部６４０を有する。ＤＰＣＨ送信部６００−１は移動局１用であり、ＤＰＣＨ送信部６００−Ｋは移動局Ｋ用である。
【００２１】
受信ＲＦ部３０は、アンテナ２５を介して受信された信号に対してダウンコンバート、ＡＧＣ、Ａ／Ｄ変換等を施す。その後、受信信号は、ＤＰＣＨ受信部４００−１〜４００−Ｋのそれぞれの逆拡散部４１０に入力される。
【００２２】
ＤＰＣＨ受信部４００−１〜４００−Ｋはその動作が同一のため、以下ＤＰＣＨ受信部４００−１についてのみ説明する。ＤＰＣＨ受信部４００−１において、逆拡散部４１０は、受信信号に対して、移動局１の上りＤＰＣＨに割り当てられている拡散コードで逆拡散処理を施す。復調部４２０は、逆拡散後のＱＰＳＫ等の信号を復調する。復調された信号は、復号部４３０およびＳＩＲ測定部４４０に入力される。復号部４３０は、復調されたＤＰＣＨの受信信号に対して誤り訂正復号やＣＲＣを行ってＤＰＣＨの受信信号を復号する。これによりＤＰＣＨの受信データ（ビット列）が得られる。ＤＰＣＨの受信データは、ＴＰＣコマンド抽出部４５０に入力される。ＴＰＣコマンド抽出部４５０は、ＤＰＣＨの受信データのタイムスロットに配置されている下りＳ−ＣＣＰＣＨ用のＴＰＣコマンドおよび下りＤＰＣＨ用のＴＰＣコマンドを抽出する。抽出された下りＳ−ＣＣＰＣＨ用のＴＰＣコマンドはＴＰＣコマンド選択部３５に入力される。つまり、ＴＰＣコマンド選択部３５には、ＤＰＣＨ受信部４００−１〜４００−ＫのそれぞれのＴＰＣコマンド抽出部４５０から下りＳ−ＣＣＰＣＨ用のＴＰＣコマンドが入力される。また、抽出された下りＤＰＣＨ用のＴＰＣコマンドは、ＤＰＣＨ送信部６００−１の電力制御部６４０に入力される。ＳＩＲ測定部４４０は、ＤＰＣＨの受信ＳＩＲを測定する。測定されたＳＩＲは、ＴＰＣコマンド作成部４６０に入力される。ＴＰＣコマンド作成部４６０は、ＤＰＣＨの受信ＳＩＲとＤＰＣＨ用の目標ＳＩＲとを比較し、その比較結果に基づいて上りＤＰＣＨ用のＴＰＣコマンドを作成する。測定されたＳＩＲが目標ＳＩＲ以上であればＤｏｗｎを指示するＴＰＣコマンドが作成され、測定されたＳＩＲが目標ＳＩＲ未満であればＵｐを指示するＴＰＣコマンドが作成される。作成された上りＤＰＣＨ用のＴＰＣコマンドは、ＤＰＣＨ送信部６００−１の符号化部６１０に入力される。
【００２３】
ＴＰＣコマンド選択部３５は、ＤＰＣＨ受信部４００−１〜４００−Ｋからそれぞれ入力される複数の下りＳ−ＣＣＰＣＨ用のＴＰＣコマンドを比較する。そして、それらのうちに１つでもＵｐを指示するＴＰＣコマンドがあれば、それらのうちからＵｐを指示するＴＰＣコマンドを選択して電力制御部５４０に入力する。一方、それらのすべてがＤｏｗｎを指示するＴＰＣコマンドがあれば、それらのうちからＤｏｗｎを指示するＴＰＣコマンドを選択して電力制御部５４０に入力する。
【００２４】
Ｓ−ＣＣＰＣＨ送信部５００において、符号化部５１０は、Ｓ−ＣＣＰＣＨの送信データ（ビット列）に対して畳み込み符号化、ＣＲＣ符号化を行ってＳ−ＣＣＰＣＨの送信データを符号化し、複数のタイムスロットから構成される送信フレームを構成する。変調部５２０は、送信データに対してＱＰＳＫ等の変調処理を施す。拡散部５３０は、変調後の送信信号に対して、下りＳ−ＣＣＰＣＨに割り当てられている拡散コードで拡散処理を施す。拡散後の送信信号は、電力制御部５４０で、ＴＰＣコマンド選択部３５によって選択されたＴＰＣコマンドに従って送信電力を制御される。よって、複数の移動局１〜Ｋのそれぞれから送信された複数の下りＳ−ＣＣＰＣＨ用のＴＰＣコマンドＫ個のうち１つでもＵｐを指示するＴＰＣコマンドがあれば下りＳ−ＣＣＰＣＨの送信電力は上げられ、Ｋ個のすべてがＤｏｗｎを指示するＴＰＣコマンドであれば下りＳ−ＣＣＰＣＨの送信電力は下げられる。つまり、下りＳ−ＣＣＰＣＨの送信電力は、全移動局に対して同じ電力になる。送信電力制御後の下りＳ−ＣＣＰＣＨの信号は、送信ＲＦ部４０に入力される。
【００２５】
ＤＰＣＨ送信部６００−１〜６００−Ｋはその動作が同一のため、以下ＤＰＣＨ送信部６００−１についてのみ説明する。ＤＰＣＨ送信部６００−１において、符号化部６１０は、移動局１宛てのＤＰＣＨの送信データ（ビット列）に対して畳み込み符号化、ＣＲＣ符号化を行ってＤＰＣＨの送信データを符号化し、複数のタイムスロットから構成される送信フレームを構成する。変調部６２０は、送信データに対してＱＰＳＫ等の変調処理を施す。拡散部６３０は、変調後の送信信号に対して、移動局１の下りＤＰＣＨに割り当てられている拡散コードで拡散処理を施す。拡散後の送信信号は、電力制御部６４０で、ＴＰＣコマンド抽出部４５０によって抽出された下りＤＰＣＨ用のＴＰＣコマンドに従って送信電力を制御される。よって、下りＤＰＣＨの送信電力は、移動局毎にそれぞれ個別に制御される。送信電力制御後の下りＤＰＣＨの信号は、送信ＲＦ部４０に入力される。
【００２６】
送信ＲＦ部４０は、送信電力制御後のＳ−ＣＣＰＣＨの送信信号および送信電力制御後のＤＰＣＨの送信信号に対してＤ／Ａ変換、アップコンバート等の処理を施した後、それぞれの送信信号をアンテナ１０から下りＳ−ＣＣＰＣＨおよび下りＤＰＣＨのそれぞれを介して移動局１〜Ｋへ送信する。
【００２７】
次に、移動局におけるＴＰＣコマンドの配置方法について図３〜図５を用いて説明する。なお、図３〜図５においては、説明の便宜上１フレームが８タイムスロット（ＴＳ＃１〜ＴＳ＃８）で構成される例が示されているが、実際には１フレームは１５タイムスロットスロットで構成される。
【００２８】
移動局は、例えば図３に示すように、数タイムスロットに１回の割合で、下りＤＰＣＨ用のＴＰＣコマンドの代わりに下りＳ−ＣＣＰＣＨ用のＴＰＣコマンドを配置する。たとえば、下りＤＰＣＨ用のＴＰＣコマンド２回に１回の割合で下りＳ−ＣＣＰＣＨ用のＴＰＣコマンドを配置する。つまり、下りＳ−ＣＣＰＣＨ用のＴＰＣコマンドの送信間隔を下りＤＰＣＨ用のＴＰＣコマンドの送信間隔より長くする。また、図３に示す例では、１フレームにおいて、下りＳ−ＣＣＰＣＨ用のＴＰＣコマンドの送信回数は、下りＤＰＣＨ用のＴＰＣコマンドの送信回数よりも少ない。さらに、図３の例では、下りＳ−ＣＣＰＣＨ用のＴＰＣコマンドは下りＤＰＣＨ用のＴＰＣコマンドと異なるタイムスロットに配置される。
【００２９】
また、例えば図４に示すように、１タイムスロット内に、下りＤＰＣＨ用のＴＰＣコマンドと並列に下りＳ−ＣＣＰＣＨ用のＴＰＣコマンドを配置する。つまり、下りＤＰＣＨ用のＴＰＣコマンドと下りＳ−ＣＣＰＣＨ用のＴＰＣコマンドの双方を同一のタイムスロットで送信する。また、すべてのタイムスロットに下りＤＰＣＨ用のＴＰＣコマンドと下りＳ−ＣＣＰＣＨ用のＴＰＣコマンドの双方が配置される。よって、この例では、下りＳ−ＣＣＰＣＨ用のＴＰＣコマンドの送信間隔と下りＤＰＣＨ用のＴＰＣコマンドの送信間隔は同じになる。また、１フレームにおいて、下りＳ−ＣＣＰＣＨ用のＴＰＣコマンドの送信回数が下りＤＰＣＨ用のＴＰＣコマンドの送信回数と同じになる。
【００３０】
また、例えば図５に示すように、１フレーム内に、下りＤＰＣＨ用のＴＰＣコマンドと下りＳ−ＣＣＰＣＨ用のＴＰＣコマンドの双方が配置されたタイムスロットと、下りＤＰＣＨ用のＴＰＣコマンドだけが配置されたタイムスロットとを設ける。この例でも、下りＳ−ＣＣＰＣＨ用のＴＰＣコマンドの送信間隔は、下りＤＰＣＨ用のＴＰＣコマンドの送信間隔より長い。また、１フレームにおいて、下りＳ−ＣＣＰＣＨ用のＴＰＣコマンドの送信回数は、下りＤＰＣＨ用のＴＰＣコマンドの送信回数よりも少ない。
【００３１】
移動局は、このようにして配置した下りＤＰＣＨ用のＴＰＣコマンドおよび下りＳ−ＣＣＰＣＨ用のＴＰＣコマンドの双方を、上りＤＰＣＨを介して基地局へ送信する。
【００３２】
次に、本実施の形態での送信電力制御について図６を用いて説明する。なお、図６においてＤＰＣＨ１は移動局１に割り当てられたＤＰＣＨであり、ＤＰＣＨ２は移動局２に割り当てられたＤＰＣＨである。
【００３３】
今、例えば、移動局１が、下りＤＰＣＨ１のＤｏｗｎを指示するＤＰＣＨ１用のＴＰＣコマンドと、下りＳ−ＣＣＰＣＨのＤｏｗｎを指示するＳ−ＣＣＰＣＨ用のＴＰＣコマンドとを、上りＤＰＣＨ１を介して基地局へ送信する。また、移動局２が、下りＤＰＣＨ２のＵｐを指示するＤＰＣＨ２用のＴＰＣコマンドと、下りＳ−ＣＣＰＣＨのＵｐを指示するＳ−ＣＣＰＣＨ用のＴＰＣコマンドとを、上りＤＰＣＨ２を介して基地局へ送信する。
【００３４】
基地局は、移動局１から、ＤＰＣＨ１用のＴＰＣコマンドおよびＳ−ＣＣＰＣＨ用のＴＰＣコマンドの双方を含む信号を上りＤＰＣＨ１を介して受信する。また移動局２から、ＤＰＣＨ２用のＴＰＣコマンドおよびＳ−ＣＣＰＣＨ用のＴＰＣコマンドの双方を含む信号を上りＤＰＣＨ２を介して受信する。そして、下りＤＰＣＨ１の送信電力を、移動局１から送信されたＤＰＣＨ１用のＴＰＣコマンドに従って制御する。つまり、下りＤＰＣＨ１の送信電力を下げる。また、下りＤＰＣＨ２の送信電力を、移動局２から送信されたＤＰＣＨ２用のＴＰＣコマンドに従って制御する。つまり、下りＤＰＣＨ２の送信電力を上げる。
【００３５】
一方、基地局は、下りＳ−ＣＣＰＣＨについては、移動局１から送信されたＳ−ＣＣＰＣＨ用のＴＰＣコマンドと移動局２から送信されたＳ−ＣＣＰＣＨ用のＴＰＣコマンドのどちらか一方がＵｐを指示するＴＰＣコマンドであれば下りＳ−ＣＣＰＣＨの送信電力を上げる。また、移動局１から送信されたＳ−ＣＣＰＣＨ用のＴＰＣコマンドと移動局２から送信されたＳ−ＣＣＰＣＨ用のＴＰＣコマンドの双方がＤｏｗｎを指示するＴＰＣコマンドであれば下りＳ−ＣＣＰＣＨの送信電力を下げる。よって、図６に示す例では、基地局は、下りＳ−ＣＣＰＣＨの送信電力を上げる。Ｓ−ＣＣＰＣＨに対してこのような送信電力制御を行うことにより、Ｓ−ＣＣＰＣＨの送信電力は、セル内において基地局から最も遠い場所に位置する移動局においてＳ−ＣＣＰＣＨの受信ＳＩＲが目標ＳＩＲに保たれるように制御される。つまり、Ｓ−ＣＣＰＣＨの送信電力を必要最小限の送信電力に制御することができ、その結果、Ｓ−ＣＣＰＣＨの送信電力を従来に比べ小さくすることができる。
【００３６】
このようにして下りＤＰＣＨの送信電力制御と下りＳ−ＣＣＰＣＨの送信電力制御とを並行して行うことにより、従来（図１７）に比べ、ＤＰＣＨ等の他のチャネルに使用可能な送信電力を相対的に増加させることができ、ＤＰＣＨ等の他のチャネルの容量を増加させることができる。また、他セルへの干渉を小さくすることができ、その結果、システム容量の低下を防止することができる。
【００３７】
（実施の形態２）
本実施の形態は、ＴＰＣコマンドに従って送信電力制御される下りＤＰＣＨの送信電力に等しい電力、または、オフセットを加えた電力に下りＳ−ＣＣＰＣＨの送信電力を制御するものである。
【００３８】
図７は、本発明の実施の形態２に係る移動局の構成を示すブロック図である。なお、実施の形態１（図１）と同一の構成には同一の符号を付し説明を省略する。図７に示す移動局は、図１に示す移動局のＳ−ＣＣＰＣＨ受信部１００からＳＩＲ測定部１４０およびＴＰＣコマンド作成部１５０を省いた構成を採る。つまり、図７に示す移動局では、下りＳ−ＣＣＰＣＨ用のＴＰＣコマンドは作成されず、符号化部３１０にはＤＰＣＨ受信部２００のＴＰＣコマンド作成部２６０から下りＤＰＣＨ用のＴＰＣコマンドのみが入力される。よって、基地局へは、下りＤＰＣＨ用のＴＰＣコマンドは送信されるが、下りＳ−ＣＣＰＣＨ用のＴＰＣコマンドは送信されない。
【００３９】
図８は、本発明の実施の形態２に係る基地局の構成を示すブロック図である。図８に示す基地局は、実施の形態１（図２）に比べ、ＴＰＣコマンド選択部３５が省かれ、送信電力選択部４５およびオフセット部５０を加えた構成を採る。なお、実施の形態１（図２）と同一の構成には同一の符号を付し説明を省略する。
【００４０】
図８に示す基地局のＤＰＣＨ受信部４００−１において、ＴＰＣコマンド抽出部４５０は、ＤＰＣＨの受信データのタイムスロットに配置されている下りＤＰＣＨ用のＴＰＣコマンドを抽出する。抽出された下りＤＰＣＨ用のＴＰＣコマンドは、ＤＰＣＨ送信部６００−１の電力制御部６４０に入力される。拡散部６３０での拡散後の送信信号は、電力制御部６４０で、ＴＰＣコマンド抽出部４５０によって抽出された下りＤＰＣＨ用のＴＰＣコマンドに従って送信電力を制御される。よって、下りＤＰＣＨの送信電力は、実施の形態１同様、移動局毎にそれぞれ個別に制御される。送信電力制御後の下りＤＰＣＨの信号は、送信ＲＦ部４０に入力される。また、電力制御部６４０は、送信電力制御後の下りＤＰＣＨの送信電力値を送信電力選択部４５に入力する。つまり、送信電力選択部４５には、ＤＰＣＨ送信部６００−１〜６００−Ｋのそれぞれの電力制御部６４０から下りＤＰＣＨの送信電力値が入力される。
【００４１】
送信電力選択部４５は、入力された複数の送信電力値のうち最も大きい送信電力値を選択して、オフセット部５０に入力する。オフセット部５０は、送信電力選択部４５から入力された送信電力値にオフセットを加えた値を、Ｓ−ＣＣＰＣＨ送信部５００の電力制御部５４０に入力する。電力制御部５４０では、下りＳ−ＣＣＰＣＨの送信電力を、このオフセットを加えた送信電力値に制御する。つまり、下りＳ−ＣＣＰＣＨの送信電力値は、送信電力制御後の複数の下りＤＰＣＨの送信電力値のうち最大の送信電力値にさらにオフセットを加えた値に制御される。
【００４２】
なお、図８に示す構成からオフセット部５０を省き、送信電力選択部４５で選択された送信電力値をそのままＳ−ＣＣＰＣＨ送信部５００の電力制御部５４０に入力してもよい。このようにすると、電力制御部５４０では、下りＳ−ＣＣＰＣＨの送信電力値が、送信電力制御後の複数の下りＤＰＣＨの送信電力値のうち最大の送信電力値に等しい値に制御される。
【００４３】
次に、本実施の形態での送信電力制御について図９を用いて説明する。今、例えば、移動局１が、下りＤＰＣＨ１のＤｏｗｎを指示するＤＰＣＨ１用のＴＰＣコマンドを上りＤＰＣＨ１を介して基地局へ送信し、また、移動局２が、下りＤＰＣＨ２のＵｐを指示するＤＰＣＨ２用のＴＰＣコマンドＤＰＣＨ２を介して基地局へ送信する。
【００４４】
基地局は、移動局１からＤＰＣＨ１用のＴＰＣコマンドを含む信号を上りＤＰＣＨ１を介して受信する。また移動局２から、ＤＰＣＨ２用のＴＰＣコマンドを含む信号を上りＤＰＣＨ２を介して受信する。そして、下りＤＰＣＨ１の送信電力を、移動局１から送信されたＤＰＣＨ１用のＴＰＣコマンドに従って制御する。つまり、下りＤＰＣＨ１の送信電力を下げる。また、下りＤＰＣＨ２の送信電力を、移動局２から送信されたＤＰＣＨ２用のＴＰＣコマンドに従って制御する。つまり、下りＤＰＣＨ２の送信電力を上げる。
【００４５】
今、移動局２の方が移動局１よりも基地局から遠い場所に位置するため、下りＤＰＣＨ２の方が下りＤＰＣＨ１よりも送信電力が大きくなる。そこで、基地局は、下りＳ−ＣＣＰＣＨの送信電力を、下りＤＰＣＨ２の送信電力にオフセットを加えた値、または、下りＤＰＣＨ２の送信電力と等しい値に制御する。図９では、オフセットを加えた場合を示している。
【００４６】
このようにＳ−ＣＣＰＣＨの送信電力を、セル内において基地局から最も遠い場所に位置する移動局への下りＤＰＣＨの送信電力と等しい電力にすることにより、Ｓ−ＣＣＰＣＨの送信電力を、セル内に存在するすべての移動局が受信できる必要最小限の電力に制御することができる。その結果、Ｓ−ＣＣＰＣＨの送信電力を従来に比べ小さくすることができる。また、オフセットを加えることにより、Ｓ−ＣＣＰＣＨの送信電力にマージンを持たせることができる。
【００４７】
このようにして下りＤＰＣＨの送信電力制御と下りＳ−ＣＣＰＣＨの送信電力制御とを並行して行うことにより、実施の形態１同様、従来（図１７）に比べ、ＤＰＣＨ等の他のチャネルに使用可能な送信電力を相対的に増加させることができ、ＤＰＣＨ等の他のチャネルの容量を増加させることができる。また、他セルへの干渉を小さくすることができ、その結果、システム容量の低下を防止することができる。
【００４８】
（実施の形態３）
本実施の形態は、実施の形態２に係るオフセットの量を制御するものである。
【００４９】
図１０は、本発明の実施の形態３に係る移動局の構成を示すブロック図である。なお、実施の形態２（図７）と同一の構成には同一の符号を付し説明を省略する。図１０に示す移動局は、図７に示す移動局のＳ−ＣＣＰＣＨ受信部１００において、さらに応答信号作成部１６０を加えた構成を採る。
【００５０】
Ｓ−ＣＣＰＣＨ受信部１００の復号部１３０は、Ｓ−ＣＣＰＣＨのＣＲＣ結果、すなわち、ＣＲＣ＝ＯＫ（誤りなし）またはＣＲＣ＝ＮＧ（誤りあり）を、応答信号作成部１６０に入力する。応答信号作成部１６０は、ＣＲＣ＝ＯＫが入力された場合は、ＡＣＫ（Ａｃｋｎｏｗｌｅｄｇｅｍｅｎｔ：肯定応答）信号を作成して符号化部３１０に入力する。一方、ＣＲＣ＝ＮＧが入力された場合は、ＮＡＣＫ（Ｎｅｇａｔｉｖｅ  Ａｃｋｎｏｗｌｅｄｇｅｍｅｎｔ：否定応答）信号を作成して符号化部３１０に入力する。符号化部３１０は、実施の形態２の処理に加えてさらに、ＡＣＫ信号またはＮＡＣＫ信号を符号化した後、所定のタイムスロットに配置する。そして、下りＳ−ＣＣＰＣＨに対するＡＣＫ信号またはＮＡＣＫ信号は、図１１に示すように、上りＤＰＣＨを介して基地局へ送信される。なお、上りＤＰＣＨが設定されていないときは、移動局は、上りＤＰＣＨの代わりに上りＰＲＡＣＨ（Ｐｈｙｓｉｃａｌ  Ｒａｎｄｏｍ  Ａｃｃｅｓｓ  Ｃｈａｎｎｅｌ）を介して、下りＳ−ＣＣＰＣＨに対するＡＣＫ信号またはＮＡＣＫ信号を送信してもよい。
【００５１】
図１２は、本発明の実施の形態３に係る基地局の構成を示すブロック図である。図１２に示す移動局は、実施の形態２（図８）に示す基地局にさらに、オフセット制御部５５と、ＤＰＣＨ受信部４００−１〜４００−Ｋおいて応答信号抽出部４７０とを加えた構成を採る。なお、図１２において図８と同一の構成には同一の符号を付し説明を省略する。
【００５２】
復号部４３０は、ＤＰＣＨの受信データを、ＴＰＣコマンド抽出部４５０および応答信号抽出部４７０に入力する。応答信号抽出部４７０は、ＤＰＣＨの受信データの所定のタイムスロットに配置されているＡＣＫ信号またはＮＡＣＫ信号を抽出する。抽出された下りＳ−ＣＣＰＣＨのＡＣＫ信号またはＮＡＣＫ信号はオフセット制御部５５に入力される。つまり、オフセット制御部５５には、ＤＰＣＨ受信部４００−１〜４００−Ｋのそれぞれの応答信号抽出部４７０から、下りＳ−ＣＣＰＣＨのＡＣＫ信号またはＮＡＣＫ信号が入力される。
【００５３】
オフセット制御部５５は、移動局１〜移動局Ｋのいずれかの移動局について、ＮＡＣＫ信号が複数回（Ｎ回）連続して入力された場合（すなわち、基地局がいずれかの移動局についてＮＡＣＫ信号を複数回連続して受信した場合）は、下りＳ−ＣＣＰＣＨの送信電力が不足していると判断し、オフセット部５０で加えられオフセットの量を所定量（例えば１ｄＢ）だけ増加させる。一方、移動局１〜移動局Ｋのいずれかの移動局について、ＡＣＫ信号が複数回（Ｍ回）連続して入力された場合（すなわち、基地局がいずれかの移動局についてＡＣＫ信号を複数回連続して受信した場合）は、下りＳ−ＣＣＰＣＨの送信電力が過剰であると判断し、オフセット部５０で加えられオフセットの量を所定量（例えば０．５ｄＢ）だけ減少させる。
【００５４】
このようにオフセット量を制御することにより、実施の形態２の効果に加えて、さらに適切なオフセット量を設定することができ、下りＳ−ＣＣＰＣＨに対してさらに適切な送信電力制御を行うことができる。
【００５５】
なお、本実施の形態では、移動局が、ＣＲＣ＝ＯＫの場合にＡＣＫ信号を送信せず、ＣＲＣ＝ＮＧの場合だけＮＡＣＫ信号を送信するようにしてもよい。この場合、基地局は、ＮＡＣＫ信号を受信したらオフセット量を増加させ、ＡＣＫ信号、ＮＡＣＫ信号のいずれも受信されない場合はオフセット量を減少させる。
【００５６】
（実施の形態４）
本実施の形態は、Ｓ−ＣＣＰＣＨの送信電力を移動局から要求された分だけ増加させるものである。
【００５７】
図１３は、本発明の実施の形態４に係る移動局の構成を示すブロック図である。なお、実施の形態１（図１）と同一の構成には同一の符号を付し説明を省略する。図１３に示す移動局は、図１に示す移動局のＳ−ＣＣＰＣＨ受信部１００において、ＴＰＣコマンド作成部１５０を省き、ＳＩＲ比較部１７０および要求信号作成部１８０を加えた構成を採る。
【００５８】
Ｓ−ＣＣＰＣＨ受信部１００のＳＩＲ測定部１４０はＳ−ＣＣＰの受信ＳＩＲを測定し、測定したＳＩＲをＳＩＲ比較部１７０に入力する。入力するＳＩＲは、所定の複数スロット（Ｎスロット）の平均（平均ＳＩＲ）とする。ＳＩＲ比較部１７０は、入力された平均ＳＩＲと目標ＳＩＲとを比較し、平均ＳＩＲが目標ＳＩＲ未満の場合にだけ、目標ＳＩＲと平均ＳＩＲとの差を要求信号作成部１８０に入力する。要求信号作成部１８０は、その差を増加量として、Ｓ−ＣＣＰＣＨの送信電力の増加を要求する要求信号（ビット列）を作成して符号化部３１０に入力する。符号化部３１０は、実施の形態２の処理に加えてさらに、要求信号を符号化した後、所定のタイムスロットに配置する。そして、下りＳ−ＣＣＰＣＨに対する要求信号は、図１４に示すように、上りＤＰＣＨを介して基地局へ送信される。なお、上りＤＰＣＨが設定されていないときは、移動局は、上りＤＰＣＨの代わりに上りＰＲＡＣＨを介して、下りＳ−ＣＣＰＣＨに対する要求信号を送信してもよい。
【００５９】
図１５は、本発明の実施の形態４に係る基地局の構成を示すブロック図である。図１５に示す基地局は、実施の形態１（図２）に比べ、ＴＰＣコマンド選択部３５が省かれ、ＤＰＣＨ受信部４００−１〜４００−Ｋにおいて要求信号抽出部４８０を加えた構成を採る。なお、実施の形態１（図２）と同一の構成には同一の符号を付し説明を省略する。
【００６０】
復号部４３０は、ＤＰＣＨの受信データを、ＴＰＣコマンド抽出部４５０および要求信号抽出部４８０に入力する。要求信号抽出部４８０は、ＤＰＣＨの受信データの所定のタイムスロットに配置されている要求信号を抽出する。抽出された要求信号は、Ｓ−ＣＣＰＣＨ送信部５００の電力制御部５４０に入力される。つまり、電力制御部５４０には、ＤＰＣＨ受信部４００−１〜４００−Ｋのそれぞれの要求信号抽出部４８０から、下りＳ−ＣＣＰＣＨに対する要求信号が入力される。
【００６１】
電力制御部５４０は、図１６に示すように、一定の周期でＳ−ＣＣＰＣＨの送信電力を変化させる。その一定周期の間に複数の要求信号が入力された場合（すなわち、複数の移動局から要求信号が送信された場合、または、１つの移動局から複数の要求信号が送信された場合）は、それらの要求信号によって示される送信電力の増加量のうち最大の増加量だけ、Ｓ−ＣＣＰＣＨの送信電力を上げる。例えば、図１６に示すように、周期１において、移動局１と移動局２からそれぞれ要求信号が送信された場合は、変化タイミング１で、Ｓ−ＣＣＰＣＨの送信電力を要求された最大の増加量ＸｄＢだけ上げる。一方、その一定周期の間に１つも要求信号が入力されない場合（すなわち、いずれの移動局から要求信号が送信されない場合）は、Ｓ−ＣＣＰＣＨの送信電力を所定量ＹｄＢ（例えば、Ｙ＝０．１ｄＢ）だけ下げる。例えば、図１６に示すように、周期２において、移動局１と移動局２のどちらからも要求信号が送信されない場合は、変化タイミング２で、Ｓ−ＣＣＰＣＨの送信電力をＹｄＢだけ下げる。このようにＳ−ＣＣＰＣＨの送信電力を制御することにより、Ｓ−ＣＣＰＣＨの送信電力を、セル内に存在するすべての移動局が受信できる必要最小限の電力に制御することができる。その結果、Ｓ−ＣＣＰＣＨの送信電力を従来に比べ小さくすることができる。
【００６２】
このようにして下りＤＰＣＨの送信電力制御と下りＳ−ＣＣＰＣＨの送信電力制御とを並行して行うことにより、実施の形態１および実施の形態２同様、従来（図１７）に比べ、ＤＰＣＨ等の他のチャネルに使用可能な送信電力を相対的に増加させることができ、ＤＰＣＨ等の他のチャネルの容量を増加させることができる。また、他セルへの干渉を小さくすることができ、その結果、システム容量の低下を防止することができる。
【００６３】
【発明の効果】
以上説明したように、本発明によれば、ＭＢＭＳ用の共通チャネルの送信電力が過剰にならないよう適切に制御することができる。
【図面の簡単な説明】
【図１】本発明の実施の形態１に係る移動局の構成を示すブロック図
【図２】本発明の実施の形態１に係る基地局の構成を示すブロック図
【図３】本発明の実施の形態１に係るＴＰＣコマンドの送信タイミングを示す図
【図４】本発明の実施の形態１に係るＴＰＣコマンドの送信タイミングを示す図
【図５】本発明の実施の形態１に係るＴＰＣコマンドの送信タイミングを示す図
【図６】本発明の実施の形態１に係る送信電力制御を示す図
【図７】本発明の実施の形態２に係る移動局の構成を示すブロック図
【図８】本発明の実施の形態２に係る基地局の構成を示すブロック図
【図９】本発明の実施の形態２に係る送信電力制御を示す図
【図１０】本発明の実施の形態３に係る移動局の構成を示すブロック図
【図１１】本発明の実施の形態３に係る送信電力制御を示す図
【図１２】本発明の実施の形態３に係る基地局の構成を示すブロック図
【図１３】本発明の実施の形態４に係る移動局の構成を示すブロック図
【図１４】本発明の実施の形態４に係る送信電力制御を示す図
【図１５】本発明の実施の形態４に係る基地局の構成を示すブロック図
【図１６】本発明の実施の形態４に係る送信電力変化周期を示す図
【図１７】従来の送信電力制御を示す図
【符号の説明】
３５  ＴＰＣコマンド選択部
４５  送信電力選択部
５０  オフセット部
５５  オフセット制御部
１００  Ｓ−ＣＣＰＣＨ受信部
１４０  ＳＩＲ測定部
１５０  ＴＰＣコマンド作成部
１６０  応答信号作成部
１７０  ＳＩＲ比較部
１８０  要求信号作成部
２００  ＤＰＣＨ受信部
２４０  ＳＩＲ測定部
２５０  ＴＰＣコマンド抽出部
２６０  ＴＰＣコマンド作成部
３００  ＤＰＣＨ送信部
３１０  符号化部
４００−１〜４００−Ｋ  ＤＰＣＨ受信部
４４０  ＳＩＲ測定部
４５０  ＴＰＣコマンド抽出部
４６０  ＴＰＣコマンド作成部
４７０  応答信号抽出部
４８０  要求信号抽出部
５００  Ｓ−ＣＣＰＣＨ送信部
５４０  電力制御部
６００−１〜６００−Ｋ  ＤＰＣＨ送信部
６１０  符号化部
６４０  電力制御部
【図１】
0003574446.tif 000002
【図２】
0003574446.tif 000003
【図３】
0003574446.tif 000004
【図４】
0003574446.tif 000005
【図５】
0003574446.tif 000006
【図６】
0003574446.tif 000007
【図７】
0003574446.tif 000008
【図８】
0003574446.tif 000009
【図９】
0003574446.tif 000010
【図１０】
0003574446.tif 000011
【図１１】
0003574446.tif 000012
【図１２】
0003574446.tif 000013
【図１３】
0003574446.tif 000014
【図１４】
0003574446.tif 000015
【図１５】
0003574446.tif 000016
【図１６】
0003574446.tif 000017
【図１７】
0003574446.tif 000018